(57)【要約】【課題】複数の外壁面材を上下に並べて下地材で連結した外壁パネルを、当該外壁パネルが取り付けられる建物躯体の取付箇所とは異なる場所で組み立てることにおいて、開口設備を備える外壁パネルの製作時間を短縮できる外壁パネルの作製方法および開口設備地組架台を提供する。【解決手段】この作製方法は、複数の外壁面材５１を上下に並べて下地材５２で連結した外壁パネルを当該外壁パネル５が取り付けられる建物躯体の取付箇所とは異なる場所で組み立てるための地組架台１を用いて、開口設備４およびこの開口設備４を取り付ける下地枠４１を有する外壁パネル５を作製する方法であって、上記地組架台１による外壁パネル５の作製過程で、予め或いは当該外壁パネル５の作製と並行して作製しておいた下地枠４１付きの開口設備４を組み込む。【選択図】図４
2019011646.tif 000002
【特許請求の範囲】
【請求項１】
複数の外壁面材を上下に並べて下地材で連結した外壁パネルを当該外壁パネルが取り付けられる建物躯体の取付箇所とは異なる場所で組み立てるための地組架台を用いて、開口設備およびこの開口設備を取り付ける下地枠を有する外壁パネルを作製する方法であって、上記地組架台による外壁パネルの作製過程で、予め或いは当該外壁パネルの作製と並行して作製しておいた下地枠付きの開口設備を組み込むことを特徴とする外壁パネルの作製方法。
【請求項２】
請求項１に記載の外壁パネルの作製方法において、開口が形成される箇所を含む領域に開口枠部を形成する工程と、上記下地枠付きの開口設備における上記下地枠を、上記開口枠部を形成する箇所に配置する工程と、を含むことを特徴とする外壁パネルの作製方法。
【請求項３】
請求項２に記載の外壁パネルの作製方法において、上記下地材として縦胴縁を配置する工程と、上記開口枠部における下側の横胴縁を配置する工程と、上記下側の横胴縁上に上記下地枠付きの開口設備を配置するとともに、上記下地枠の上側に上記開口枠部における上側の横胴縁を配置する工程と、を含むことを特徴とする外壁パネルの作製方法。
【請求項４】
請求項３に記載の外壁パネルの作製方法において、上記開口設備の下地枠を上記横胴縁または上記縦胴縁に固定することを特徴とする外壁パネルの作製方法。
【請求項５】
下地枠付きの開口設備を当該下地枠付きの開口設備が取り付けられる外壁パネルとは異なる場所で組み立てるための開口設備地組架台であって、上記下地枠を保持する保持部を備えることを特徴とする開口設備地組架台。
【請求項６】
請求項５に記載の開口設備地組架台において、上記保持部は、上記下地枠付きの開口設備を上記外壁パネルに固定する締結部材を利用して上記下地枠を保持することを特徴とする開口設備地組架台。
【発明の詳細な説明】
【技術分野】
【０００１】
この発明は、複数の外壁面材を上下に並べて下地材で連結した外壁パネルを当該外壁パネルが取り付けられる建物躯体の取付箇所とは異なる場所で組み立てるための地組架台を用いて外壁パネルを作製する方法および開口設備地組架台に関する。
【背景技術】
【０００２】
特許文献１には、大判化外壁パネルが開示されている。この大判化外壁パネルは、パネルフレームと、このパネルフレームに取付けられた上下に並ぶ複数枚の、断熱材を含む横長形状の外壁面材とを備える。また、上記パネルフレームは、左右の縦フレーム材および上下端の横フレーム材が矩形に組まれた外周フレーム部と、この外周フレーム部に互いに横幅方向に間隔を開けて配置されて上下端が上下の横フレーム材に接合された複数の縦胴縁とからなる。
【先行技術文献】
【特許文献】
【０００３】
【特許文献１】特開２０１６−１１３８３９号公報
【発明の概要】
【発明が解決しようとする課題】
【０００４】
しかしながら、複数の外壁面材を上下に並べて下地材で連結した外壁パネルを、当該外壁パネルが取り付けられる建物躯体の取付箇所とは異なる場所で組み立てるための地組架台を用いて作製するときに、アルミサッシ等の開口設備のための下地枠を上記作製中の外壁パネルに組み込んで必要な直角出し等の調整を行い、その後に上記開口設備を上記下地枠に取り付けていくとすると、上記開口設備の取り付けに多くの時間がかかり、この間、上記下地材に上記外壁パネルを留め付ける作業等が中断され、上記地組架台を用いた外壁パネル作成の全体時間が長くなるおそれがある。
【０００５】
この発明は、上記の事情に鑑み、複数の外壁面材を上下に並べて下地材で連結した外壁パネルを、当該外壁パネルが取り付けられる建物躯体の取付箇所とは異なる場所で組み立てることにおいて、開口設備を備える外壁パネルの製作時間を短縮できる外壁パネルの作製方法および開口設備地組架台を提供することを課題とする。
【課題を解決するための手段】
【０００６】
この発明の外壁パネルの作製方法は、上記の課題を解決するために、複数の外壁面材を上下に並べて下地材で連結した外壁パネルを当該外壁パネルが取り付けられる建物躯体の取付箇所とは異なる場所で組み立てるための地組架台を用いて、開口設備およびこの開口設備を取り付ける下地枠を有する外壁パネルを作製する方法であって、上記地組架台による外壁パネルの作製過程で、予め或いは当該外壁パネルの作製と並行して作製しておいた下地枠付きの開口設備を組み込むことを特徴とする。
【０００７】
上記の方法であれば、開口設備の下地枠に必要となる直角出し等の調整を、上記外壁パネルの作製過程において行うのではなく、当該現場と別の場所や工場において予め或いは並行して行うことができるので、上記下地材に上記外壁パネルを留め付ける作業等が中断されるのを回避できる。これにより、上記外壁パネルの製作時間の短縮を図ることができる。
【０００８】
開口が形成される箇所を含む領域に開口枠部を形成する工程と、上記下地枠付きの開口設備における上記下地枠を、上記開口枠部を形成する箇所に配置する工程と、を含むこととしてもよい。
【０００９】
上記下地材として縦胴縁を配置する工程と、上記開口枠部における下側の横胴縁を配置する工程と、上記下側の横胴縁上に上記下地枠付きの開口設備を配置するとともに、上記下地枠の上側に上記開口枠部における上側の横胴縁を配置する工程と、を含むこととしてもよい。
【００１０】
上記開口設備の下地枠を上記横胴縁または上記縦胴縁に固定することとしてもよい。
【００１１】
また、この発明の開口設備地組架台は、下地枠付きの開口設備を当該下地枠付きの開口設備が取り付けられる外壁パネルとは異なる場所で組み立てるための開口設備地組架台であって、上記下地枠を保持する保持部を備えることを特徴とする。
【００１２】
上記の構成であれば、上記外壁パネルを作製する地組架台とは別に設置できる開口設備地組架台によって、上記外壁パネルの作製と並行して下地枠付きの開口設備を作製することができる。
【００１３】
上記保持部は、上記下地枠付きの開口設備を上記外壁パネルに固定する締結部材を利用して上記下地枠を保持してもよい。これによれば、上記締結部材を上記下地枠の保持にも共用できるので、コスト低減等も図ることができる。
【発明の効果】
【００１４】
本発明であれば、複数の外壁面材を上下に並べて下地材で連結した外壁パネルを、当該外壁パネルが取り付けられる建物躯体の取付箇所とは異なる場所で組み立てることにおいて、開口設備を備える外壁パネルの製作時間を短縮できるという効果を奏する。
【図面の簡単な説明】
【００１５】
【図１】外壁パネルの構造例を示した概略の斜視図である。
【図２】同図（Ａ）は図１の外壁パネルにおける外壁面材の上部および下部を示した断面図であり、同図（Ｂ）は図１の上下に並ぶ外壁面材の嵌め込み箇所の断面図である。
【図３】外壁パネルの地組架台を実線で示し、外壁パネルを仮想線で示した正面図である。
【図４】開口設備を備える外壁パネルの一例を示した概略の背面図である。
【図５】図４の開口設備の箇所を拡大して示す図であって、同図（Ａ）は背面図、同図（Ｂ）は横断面図、同図（Ｃ）は縦断面図である。
【図６】図５の一部を拡大して示した概略の拡大図である。
【図７】この発明の実施形態にかかる開口設備を備える外壁パネルの作製方法を示した説明図である。
【図８】この発明の実施形態にかかる開口設備を備える外壁パネルの作製方法を示した説明図である。
【図９】開口設備を備える外壁パネルの他の例を示した概略の背面図である。
【図１０】この発明の実施形態にかかる開口設備地組架台の一例を示した概略の斜視図である。
【図１１】図１０の開口設備地組架台の概略の縦断面図である。
【発明を実施するための形態】
【００１６】
以下、この発明の実施の形態を添付図面に基づいて説明する。
図１に示すように、外壁パネル５は、例えば、複数の横長の外壁面材５１を上下に並べて下地材５２で相互に連結された構造を有する。図１に示す例では、上記下地材５２として、最も端位置の２本の縦胴縁５２ａと、中央側の例えば４本の縦胴縁５２ｂを備えている。上記縦胴縁５２ａは、角形鋼管等の閉鎖断面鋼材からなっている。一方、上記縦胴縁５２ｂは、リップ溝型鋼や溝型鋼等の開放断面鋼材からなる。なお、下地材５２の全てを閉鎖断面鋼材である縦胴縁５２ａとすることもでき、また、下地材５２の全てを開放断面鋼材である縦胴縁５２ｂとすることもでる。
【００１７】
上記外壁面材５１は、例えば、図２（Ａ）および図２（Ｂ）に示すように、不燃断熱材５１ａを鋼板５１ｂ、５１ｃで挟み込んだ金属サンドイッチパネルである。２枚の外壁面材５１を上下に並べた場合、下段に位置する外壁面材５１の上端面に形成された横幅方向に長い２か所の凹部５１ｄに、上段に位置する外壁面材５１の下端面に形成された横幅方向に長い２か所の凸部５１ｅが嵌まり込むことにより、上下の外壁面材５１が互いに面外方向に位置ずれしないように組み合わされる。
【００１８】
図３に示すように、地組架台１を用いることによって、上記複数の外壁面材５１を上下に並べて下地材５２で連結した外壁パネル５を、当該外壁パネル５が取り付けられる建物躯体の外壁取付箇所とは異なる場所で組み立てることができる。
【００１９】
上記地組架台１は、上記外壁面材５１の側面側に位置する支柱部１１Ａと、上記外壁面材５１の後面側となる位置に配置された奥側支柱部１１Ｂと、上記支柱部１１Ａ、１１Ｂの下側と中側と上側とにそれぞれ掛け渡される３本の梁部１２と、を備える。
【００２０】
例えば、上記支柱部１１Ａの下部側は、下側の梁部１２の前面側に固定されており、上記支柱部１１Ａの中央側および上部側は、中側と上側の梁部１２の前面側にスペーサを介してそれぞれ固定されている。中側と上側の梁部１２は、上記縦胴縁５２ａ、５２ｂの後面側に設けられる。また、上記奥側支柱部１１Ｂの下端は、下側の梁部１２の上面上に固定され、上記奥側支柱部１１Ｂの上部は、上側の梁部１２の前面側に固定されている。
【００２１】
上段に位置する上記梁部１２および中段に位置する上記梁部１２上には、閉鎖断面鋼材からなる上記縦胴縁５２ａを保持する下地材保持具２および開放断面鋼材からなる上記縦胴縁５２ｂを保持する下地材保持具３が固定されている。なお、下段に位置する上記梁部１２には、上記縦胴縁５２ａ、５２ｂが差し込まれる位置決め凸部或いは上記縦胴縁５２ａ、５２ｂの側面が当接される位置決め板部が設けられる。
【００２２】
作業者は、上記縦胴縁５２ａ、５２ｂをセットした後に、外壁面材５１をセットし、このセットした上記外壁面材５１の上端部側にビス等をねじ込み、上記外壁面材５１を先にセットした上記縦胴縁５２ａ、５２ｂに固定する。この作業を繰り返すことで外壁パネル５が作製される。
【００２３】
ここで、図４に示すように、外壁パネル５において、開口設備４を設けることもできる。この開口設備４としては、アルミサッシ、ガラリ、有圧扇、スチールドア等がある。上記開口設備４を外壁パネル５において固定するために、上記開口設備４から最も近い左右の縦胴縁間を横断するように上記開口設備４の上下において横胴縁５４を設けている。すなわち、この例では、開口設備付きの外壁パネル５は、当該外壁パネル５の開口が形成される箇所を含む領域に、開口枠部として上下に横胴縁５４を設けた構造を有する。
【００２４】
さらに詳細に説明すると、図５（Ａ）、（Ｂ）、（Ｃ）および図６に示すように、上記横胴縁５４と、この端面が突き当たる箇所の縦胴縁５２ａ、５２ｂとで形成される内角部には、例えば、Ｌ字形状を有するいわゆるネコ金物５５が配置され、ビス等を打ち込むことで、上記横胴縁５４と上記縦胴縁５２ａ、５２ｂとが相互に枠状に固定されている。
【００２５】
上記開口設備４は、例えば、鉄骨材からなる方形状の下地枠４１に固定される。上記下地枠４１は上下に配置された横枠材４１ａおよび左右に配置された縦枠材４１ｂからなり、これらも例えばネコ金物によって相互に固定されている。そして、例えば、図５（Ａ）において右側の縦枠材４１ｂは、上下の横胴縁５４にネコ金物５６によって固定されている。一方、左側の縦枠材４１ｂは、例えば、２個のネコ金物５６をＺ字状に接合したものによって、上記縦胴縁５２ａに固定されている。もちろん、左側の縦枠材４１ｂを上下の横胴縁５４に固定することもできる。
【００２６】
なお、仮想線で示すように、上記下地枠４１の上側の横枠材４１ａに、上方に突出するボルト部４２を設けるとともに、上記下地枠４１の下側の横枠材４１ａに下上方向に突出するボルト部４２を設けてもよい。そして、上記ボルト部４２を上下の横胴縁５４に挿通してナットを螺合することにより、上記下地枠４１を上下の横胴縁５４の中間部に固定するようにしてもよい。これによれば、上記横枠材４１ａの中間部も上記横胴縁５４に固定して、固定強度を向上させることができる。
【００２７】
次に、図７および図８を参照して、上記開口設備４が付けられた外壁パネル５の作製方法について説明していく。なお、図７および図８では地組架台１を簡略化して示している。
【００２８】
上記開口設備４付きの外壁パネル５を作製するときには、図７に示すように、縦胴縁５２ａ、５２ｂを地組架台１に配置していき、また、上記開口設備４から最も近い左右の縦胴縁間を横断するように、先ず、上記開口設備４が設けられる開口を含む領域の下側に開口枠部の一部となる横胴縁５４を配置する。上記横胴縁５４と、この端面が突き当たる箇所の縦胴縁５２ａ、５２ｂとで形成される内角部には、上記ネコ金物５５を配置し、ビス等を打ち込むことで、上記横胴縁５４と上記縦胴縁５２ａ、５２ｂとを相互に固定する。
【００２９】
次に、図８に示すように、下側の横胴縁５４上に下地枠４１付きの開口設備４を配置するとともに、上側の横枠材４１ａの上方に上記開口枠部における上側の横胴縁５４を配置する。これら横胴縁５４等と下地枠４１との接続には、上記ネコ金物５５，５６を用いることができる。上記下地枠４１付きの開口設備４はホイスト等の揚重機で用い揚げることができる。次に、上記外壁面材５１を縦胴縁５２ａ、５２ｂにビス等を用いて取り付けていく。なお、完成された開口設備付きの外壁パネル５をクレーン等で吊り上げる際に上記開口枠部等が歪まないように上記下地枠４１をクロス状に繋ぐ補強材（ターンバックル等）を一時的に設けておいてもよい。
【００３０】
なお、図９に示すように、大きな開口設備４が付く外壁パネル５についても、同様に作製できる。
【００３１】
上記のパネル作製方法であれば、開口設備４のための下地枠４１に必要な直角出し等の調整を、上記外壁パネル５の作製において行うのではなく、当該現場の別の場所や工場において予め或いは並行して行うことができるので、上記下地枠４１に上記外壁パネル５を留め付ける作業等が中断されるのを回避できる。これにより、上記外壁パネル５の製作時間の短縮を図ることができる。
【００３２】
次に、図１０および図１１を参照して開口設備地組架台６について説明していく。この開口設備地組架台６は、下地枠４１付きの開口設備４を当該下地枠４１付きの開口設備４が取り付けられる外壁パネル５とは異なる場所で組み立てるためのものである。すなわち、この開口設備地組架台６は、現場の上記地組架台１の設置箇所とは異なる場所或いは工場等に設置される。上記開口設備地組架台６は、例えば、上下の水平配置のＨ形鋼と左右の鉛直配置のＨ形鋼とを方形枠状に接合した構造を有する、また、この開口設備地組架台６は、アンカー等によって立設される自立タイプでもよいし、図示しない支持フレームによって支持されるものでもよい。
【００３３】
上記開口設備地組架台６は、上記下地枠４１を保持する保持部６１、６２を備えている。上記保持部６１は、例えば、上記下地枠４１の後面（開口設備４が取り付けられる前側と反対の側）に接触して保持するＬ字アングル等の部材からなり、上下４か所に設けられている。上記保持には、図示しないシャコ万力やボルト等を用いることができる。また、上記下地枠４１における上記横枠材４１ａおよび上記縦枠材４１ｂの接合において直角出し等の調整を行う。
【００３４】
このように、上記外壁パネル５を作製する地組架台１とは別に設置できる開口設備地組架台６によって、上記外壁パネル５の作製と並行して下地枠４１付きの開口設備４を作製することができる。
【００３５】
また、上記保持部６２は、例えば、水平配置の板材からなり、上側のＨ形鋼において２箇所設けられている。上記保持部６２は、前後方向に長いＵカット部が形成されており、このＵカット部に上記下地枠４１のボルト部を通し、ナットを螺合させることで、この下地枠４１を保持することができる。この実施形態では、上記下地枠４１のボルト部として、上記下地枠４１の上側の横枠材４１ａに設けられているボルト部４２を利用している。すなわち、上記下地枠付４１付きの開口設備４を上記外壁パネル５に固定する締結部材であるボルト部４２を用いて、上記下地枠４１を上記保持部６１に保持させるようにしている。これによれば、上記ボルト部４２を上記下地枠４１の保持にも共用できるので、コスト低減等も図ることができる。
【００３６】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３７】
１      ：地組架台
２        ：下地材保持具（閉鎖断面鋼材）
３        ：下地材保持具（開放断面鋼材）
４      ：開口設備
５      ：外壁パネル
６      ：開口設備地組架台
１１Ａ  ：支柱部
１１Ｂ  ：奥側支柱部
１２    ：梁部
４１    ：下地枠
４１ａ  ：横枠材
４１ｂ  ：縦枠材
４２    ：ボルト部
５１    ：外壁面材
５１ａ  ：不燃断熱材
５１ｂ  ：鋼板
５１ｃ  ：鋼板
５１ｄ  ：凹部
５１ｅ  ：凸部
５２    ：下地材
５２ａ    ：縦胴縁（閉鎖断面）
５２ｂ    ：縦胴縁（開放断面）
５４    ：横胴縁
５５    ：ネコ金物
５６    ：ネコ金物
６１    ：保持部
６２    ：保持部
【図１】
2019011646.tif 000003
【図２】
2019011646.tif 000004
【図３】
2019011646.tif 000005
【図４】
2019011646.tif 000006
【図５】
2019011646.tif 000007
【図６】
2019011646.tif 000008
【図７】
2019011646.tif 000009
【図８】
2019011646.tif 000010
【図９】
2019011646.tif 000011
【図１０】
2019011646.tif 000012
【図１１】
2019011646.tif 000013